(57)【要約】【課題】表示部を備えるボタン電話機の表示部に表示される表示データを主装置からボタン電話機へ効率的に送信するボタン電話装置、その主装置およびボタン電話機を提供する。【解決手段】主装置２０の表示データ送受信部２１から送信される表示信号をボタン電話機３０の表示データ送受信部３２で受信し、その表示データに対応するコマンドコードを設定して表示データ記憶部３３に記憶する。ボタン電話機３０は、このコマンドコードを主装置２０に送信し、表示データ記憶部２３に表示データと共に記憶する。主装置２０が次回以降に表示データをボタン電話機３０へ送信するとき、表示データ記憶部２３に記憶された表示データと同じ表示データは、表示データに代えてコマンドコードを送信する。これを受信したボタン電話機３０は、それに対応する表示内容を表示部３１に表示する。【選択図】図１
2008193625.tif 000002
【特許請求の範囲】
【請求項１】
主装置に接続された複数のボタン電話機を含み、前記主装置から送信されるデータを前記ボタン電話機の表示部に表示するボタン電話装置において、
前記ボタン電話機の前記表示部への表示データを対応するコマンドと共に表示データ記憶部に記憶し、一度前記表示部に表示されたデータを再度表示する際には、前記主装置から前記ボタン電話機へ前記表示データに対応するコマンドを送信することを特徴とするボタン電話装置。
【請求項２】
前記表示データおよび前記コマンドを表示する前記表示データ記憶部は、前記主装置および前記ボタン電話機に設けられることを特徴とする請求項１に記載のボタン電話装置。
【請求項３】
主装置および該主装置に接続された各々各種情報を表示する表示部を有する複数のボタン電話機を含むボタン電話装置において、
前記主装置および前記各ボタン電話機は、表示データを送受信する表示データ送受信部と、表示データを記憶する表示データ記憶部とを備え、
前記ボタン電話機の表示データ記憶部は、前記主装置から送信される表示データにコマンドコードを設定して記憶すると共に前記主装置の前記表示データ記憶部へ送信し、同じ表示データに代えて前記コマンドコードを前記ボタン電話機へ送信可能にすることを特徴とするボタン電話装置。
【請求項４】
前記主装置は判断部を備え、前記ボタン電話機へ送信する表示データが既に送信された表示データと同じか否かを判断することを特徴とする請求項３に記載のボタン電話装置。
【請求項５】
複数の表示部付きボタン電話機に接続され、該ボタン電話機に表示データを送信するボタン電話機の主装置において、
前記ボタン電話機への表示データの送受信を行う表示データ送受信部と、前記表示データおよび該表示データに対応して前記ボタン電話機から送信されるコマンドコードを記憶する表示データ記憶部と、前記表示データ送受信部および前記表示データ記憶部を制御する制御／判断部とを備えることを特徴とするボタン電話装置の主装置。
【請求項６】
主装置に接続され該主装置から送信される表示データを表示する表示部を有するボタン電話装置のボタン電話機において、
前記主装置との間で表示データの送受信を行う表示データ送受信部と、前記主装置から送信された表示データにコマンドコードを設定して記憶する表示データ記憶部と、前記主装置から送信される表示データおよび前記表示データ記憶部の表示データを前記表示部に表示する制御部とを備えることを特徴とするボタン電話装置のボタン電話機。
【請求項７】
予め設定したタイムアップの有無を確認するタイマを更に備え、前記タイムアップ後に前記表示データ記憶部に登録することを特徴とする請求項６に記載のボタン電話装置のボタン電話機。
【請求項８】
主装置および該主装置に接続され、各々表示部を有する複数のボタン電話機を含むボタン電話装置の前記ボタン電話機の表示部に表示される表示信号を前記主装置から前記ボタン電話機へ送信するボタン電話装置の表示信号処理方法において、
前記主装置から前記ボタン電話機へ表示信号を送信するステップと、
前記主装置から送信された表示信号をコマンドコードと共に前記ボタン電話機に記憶するステップと、
該記憶されたコマンドコードを前記主装置へ送信して前記表示信号と共に記憶するステップと、
次回以降に表示信号を送信する際に前記記憶された表示信号との異動を判断するステップと、
該判断ステップで同じ表示信号と判断された場合には、前記主装置から前記ボタン電話機へ前記表示信号に代えて前記コマンドコードを送信するステップとを備えることを特徴とするボタン電話装置の表示信号処理方法。
【請求項９】
前記主装置から前記ボタン電話機へ送信される表示信号の送信時間を計時し、一定時間のタイムアップした表示信号に対して前記コマンドコードを設定するステップを更に備えることを特徴とする請求項８に記載のボタン電話装置の表示信号処理方法。
【発明の詳細な説明】
【技術分野】
【０００１】
本発明はボタン電話装置に関し、特に主装置に接続されたボタン電話機の表示部に表示する表示データを効率的に処理するボタン電話装置、その種装置、ボタン電話機および表示信号処理方法に関する。
【背景技術】
【０００２】
ボタン電話装置は、主装置とこの主装置に接続された複数のボタン電話機により構成され、ボタン電話機相互間又はボタン電話機と主装置に接続された公衆回線を介する外部電話機間の通信又は通話を可能にする。斯かるボタン電話機は、オフィスその他における複数のユーザの通信／通話手段として広く普及している。
【０００３】
ボタン電話装置の各ボタン電話機は、例えば液晶表示パネル（ＬＣＤ）等の表示部を備え、通話相手の内線又は外線の電話番号、氏名又は会社名、部課名、担当者名等の各種情報を複数行（又は桁）で表示している。斯かる表示部の表示により、通話／通信に先立ち相手を確認可能することにより、ユーザの便に供している。
【０００４】
各ボタン電話機の表示部に各種情報を表示するボタン電話装置の従来例は、多くの文献に開示されている。複数の桁数のメッセージをボタン電話機の液晶表示器（ＬＣＤ）にスクロール表示するボタン電話装置と、ボタン電話機のメッセージ表示方法が開示されている（例えば、特許文献１参照。）。また、着信時に主装置から端末装置に送信されるキャラクタ表示情報を、端末装置の液晶表示部に表示して着信状態を認識し得るようにした着信状態認識機能付ボタン電話装置が開示されている（例えば、特許文献２参照。）。また、ボタン電話端末のＬＣＤ表示部に少ない数のキーを使用して多数の機能に対応する表示を行うキー操作装置が開示されている（例えば、特許文献３参照。）。
【０００５】
【特許文献１】特開２０００−１３８２８号公報（第４頁、第１図）
【特許文献２】特開２００２−２３２９２６号公報（第３頁、第１図、第２図）
【特許文献３】特開平８−９７８９８号公報（第２−３頁、第１図）
【発明の開示】
【発明が解決しようとする課題】
【０００６】
しかし、上述の如き従来のボタン電話装置は、解決するべき課題を有する。即ち、ボタン電話機のＬＣＤ表示又は表示部は、主装置からボタン電話機に対して、１文字毎に信号を送信し表示しているため、表示の切り替えが実行される度に、１文字毎に信号を送信しなければいけない。そのため、ボタン電話機の操作が多くなれば多くなるほど主装置から各ボタン電話機が受信する信号（データ）の回数が増え、ボタン電話機の表示信号の処理に負荷がかかってしまう。特に、主装置に接続されるボタン電話機の個数が多い場合には、主装置の信号処理速度が遅くなるので、信号処理速度を増加する必要性が生じる。
【０００７】
本発明は、従来のボタン電話装置の上述した課題に鑑みなされたものであり、斯かる課題を解消又は軽減するボタン電話装置、その主装置、ボタン電話機および表示信号処理方法を提供することを主たる目的とする。
【課題を解決するための手段】
【０００８】
本発明によるボタン電話装置、その主装置、ボタン電話機および表示信号処理方法は、上述した課題を解消し且つ上述の目的を達成するために、以下の如き特徴的な構成を採用している。
【０００９】
（１）主装置に接続された複数のボタン電話機を含み、前記主装置から送信されるデータを前記ボタン電話機の表示部に表示するボタン電話装置において、
前記ボタン電話機の前記表示部への表示データを対応するコマンドと共に表示データ記憶部に記憶し、一度前記表示部に表示されたデータを再度表示する際には、前記主装置から前記ボタン電話機へ前記表示データに対応するコマンドを送信するボタン電話装置。
（２）前記表示データおよび前記コマンドを表示する前記表示データ記憶部は、前記主装置および前記ボタン電話機に設けられる上記（１）のボタン電話装置。
（３）主装置および該主装置に接続された各々各種情報を表示する表示部を有する複数のボタン電話機を含むボタン電話装置において、
前記主装置および前記各ボタン電話機は、表示データを送受信する表示データ送受信部と、表示データを記憶する表示データ記憶部とを備え、
前記ボタン電話機の表示データ記憶部は、前記主装置から送信される表示データにコマンドコードを設定して記憶すると共に前記主装置の前記表示データ記憶部へ送信し、同じ表示データに代えて前記コマンドコードを前記ボタン電話機へ送信可能にするボタン電話装置。
（４）前記主装置は判断部を備え、前記ボタン電話機へ送信する表示データが既に送信された表示データと同じか否かを判断する上記（３）のボタン電話装置。
（５）複数の表示部付きボタン電話機に接続され、該ボタン電話機に表示データを送信するボタン電話機の主装置において、
前記ボタン電話機への表示データの送受信を行う表示データ送受信部と、前記表示データおよび該表示データに対応して前記ボタン電話機から送信されるコマンドコードを記憶する表示データ記憶部と、前記表示データ送受信部および前記表示データ記憶部を制御する制御／判断部とを備えるボタン電話装置の主装置。
（６）主装置に接続され該主装置から送信される表示データを表示する表示部を有するボタン電話装置のボタン電話機において、
前記主装置との間で表示データの送受信を行う表示データ送受信部と、前記主装置から送信された表示データにコマンドコードを設定して記憶する表示データ記憶部と、前記主装置から送信される表示データおよび前記表示データ記憶部の表示データを前記表示部に表示する制御部とを備えるボタン電話装置のボタン電話機。
（７）予め設定したタイムアップの有無を確認するタイマを更に備え、前記タイムアップ後に前記表示データ記憶部に登録する上記（６）のボタン電話装置のボタン電話機。
（８）主装置および該主装置に接続され、各々表示部を有する複数のボタン電話機を含むボタン電話装置の前記ボタン電話機の表示部に表示される表示信号を前記主装置から前記ボタン電話機へ送信するボタン電話装置の表示信号処理方法において、
前記主装置から前記ボタン電話機へ表示信号を送信するステップと、
前記主装置から送信された表示信号をコマンドコードと共に前記ボタン電話機に記憶するステップと、
該記憶されたコマンドコードを前記主装置へ送信して前記表示信号と共に記憶するステップと、
次回以降に表示信号を送信する際に前記記憶された表示信号との異動を判断するステップと、
該判断ステップで同じ表示信号と判断された場合には、前記主装置から前記ボタン電話機へ前記表示信号に代えて前記コマンドコードを送信するステップとを備えるボタン電話装置の表示信号処理方法。
（９）前記主装置から前記ボタン電話機へ送信される表示信号の送信時間を計時し、一定時間のタイムアップした表示信号に対して前記コマンドコードを設定するステップを更に備える上記（８）のボタン電話装置の表示信号処理方法。
【発明の効果】
【００１０】
上述した特徴的な構成を採用する本発明のボタン電話装置、その主装置、ボタン電話機および表示信号処理方法は、次の如き実用上の特有の効果を奏する。先ず、表示データ記憶部に保存されているデータを使用することにより、同様の表示を表示部へ表示させる際に、同じ動作の反復を回避して、ボタン電話機の表示部に容易に必要な表示を行うことが可能である。また、主装置からボタン電話機に対して送信される信号の送信回数を減少させ、信号処理速度を高速化することが可能である。
【００１１】
また、タイマにより予め設定したタイムアップに基づいてコマンドコードの設定および表示データ記憶部へ記憶するので、この設定された時間より長い表示データを選択し、表示データに代えて対応するコマンドコードを送信して、表示データの送信時間を短縮して表示信号処理を効率化することが可能である。
【発明を実施するための最良の形態】
【００１２】
次に、本発明によるボタン電話装置、その主装置、ボタン電話機および信号処理方法の好適な実施の形態の構成および動作を、添付図面を参照して詳細に説明する。
【００１３】
先ず、図1は、本発明によるボタン電話装置の好適な実施の形態の概略構成を示す機能ブロック図である。このボタン電話装置１０は、主装置２０およびこの主装置２０に接続された複数の表示機能付きボタン電話機３０により構成される。尚、図１中には、便宜上１個のボタン電話機３０のみを示す。主装置２０および各ボタン電話機３０は、信号ケーブル４０により相互に接続されているが、無線その他の接続手段により相互接続してもよい。
【００１４】
図１のボタン電話装置１０において、主装置２０はプログラム制御により、ボタン電話機３０相互間（即ち、内線）およびボタン電話機３０と外部の電話機（外線）との接続、並びに後述する各ボタン電話機３０の表示部への表示信号処理等の動作を行う。そして、この主装置２０は、表示データ送受信部２１、制御部／判断部２２および表示データ記憶部２３により構成されている。また、表示データ記憶部２３は、コマンド記憶部（メモリ）２３１を含んでいる。
【００１５】
一方、各ボタン電話機３０は、ユーザが他のボタン電話機との通話又は外部の電話機との通話を行うために使用される端末装置である。そして、各ボタン電話機３０は、ＬＣＤ等の表示部３１、表示データ送受信部３２、表示データ記憶部３３および制御部／タイマ部３４により構成される。そして、表示データ記憶部３３は、コマンド記憶部（メモリ）３３１を含んでいる。
【００１６】
次に、ボタン電話装置１０の主装置２０およびボタン電話機３０の各構成要素の主要機能を、本発明に関連するボタン電話機３０の表示部３１への表示信号処理について説明する。先ず、主装置２０の表示データ送受信部２１は、各ボタン電話機３０との間で表示信号の送受信を行う。表示データ記憶部２３は、ボタン電話機３０の表示部３１に表示される表示データを記憶保存する。そして、そのコマンド記憶部２３１は、表示データ記憶部２３に記憶された各表示データに対応するコマンドコードを記憶する。また、制御部／判断部２２は、表示データ送受信部2１および表示データ記憶部２３の動作を制御すると共に必要な判断を行う。この制御部／判断部２２は、好ましくは市販のＭＰＵ（マイクロプロセッサ）又はＣＰＵ（中央処理装置）により構成される。
【００１７】
一方、ボタン電話機３０において、表示部３１は、ボタン電話機３０に関連する各種情報を表示する、例えば液晶表示装置（ＬＣＤ）である。この表示部３１に表示される表示データは、例えばボタン電話機３０がアイドル状態（即ち、着信／発信待ち状態）中には、その内線電話番号、部課名、ユーザ名等を複数行に分けて表示する。一方、着信（着呼）があると、その旨をユーザに通知するため「着信」等の文字と共に相手の電話番号、会社名、氏名等の情報を表示する。また、発信（発呼）時には、ユーザがボタン電話機３０のボタンを押下操作して入力した相手の電話番号、相手先会社名、ユーザ名等が表示される。表示データ送受信部３２は、主装置２０の表示データ送受信部２１と通信して情報のやり取りを行う。表示データ記憶部３３は、表示部３１に選択的に表示される予め決められた表示データを記憶保存する。コマンド記憶部３３１は、表示データ記憶部３３に記憶された表示データに対応するコマンドコードを記憶する。制御部／タイマ部３４は、好ましくはＭＰＵ又はＣＰＵであって、ボタン電話機内の各部の動作を、予め決められたプログラムに従って制御すると共に、タイマ部により経過時間等のタイムを計測管理する。
【００１８】
次に、図１に示す本発明によるボタン電話装置１０の好適実施の形態についてその全体的な概略動作を説明する。先ず、主装置２０の表示データ送信部２１からボタン電話機３０の表示部３１に文字を表示させる通常動作を説明する。主装置２０の表示データ送受信部２１から信号ケーブル４０を介して接続されたボタン電話機３０の表示データ送受信部３２へ、１文字毎のデータが送信される。この送信され且つボタン電話機３０により受信された表示データは、表示部３１に表示される。
ここで、ボタン電話機３０がアイドル状態（非通話状態）のとき、表示部３１には、主装置２０から送信される表示データに基づいて、その内線番号、内線名称やユーザ名等が表示されている。
【００１９】
上述した表示データを、ここでは便宜上「表示データＡ」とする。本発明のボタン電話装置１０では、この表示データＡは、予め表示データ記憶部３３のメモリに保存しておく。一度このようなアイドル状態の表示データＡを表示データ記憶部３３に保存しておけば、ボタン電話機３０がアイドル状態に戻る度に、表示データ送受信部２１から送信される１文字毎の表示データではなく、「表示データＡを表示させる」という１つの信号（コマンド）を主装置２０の表示データ送受信部２１からボタン電話機３０の表示データ送受信部３２へ送信するのみで、ボタン電話機３０の表示部３１には所望の表示が表示できる。従って、ボタン電話装置１０の信号処理の負荷を大幅に軽減し、ボタン電話装置１０の信号処理速度の改善が期待できる。
【００２０】
即ち、図１に示す本発明のボタン電話装置１０によると、一度表示データ記憶部３３に記憶保存されたデータを用いることにより、次回以降に同じ表示を表示部３１に表示させたい場合に、主装置２０の表示データ送受信部２１から１文字毎のデータを送る必要がなくなる。そして、表示データ記憶部３３に保存されている表示データの塊（即ち、「表示データＡ」）を表示部３１に表示させるコマンド（指示又は命令）を送るのみで、表示部３１に「表示データＡ」を表示させることができる。
【００２１】
次に、図１と共に図２および図３を参照して、本発明のボタン電話装置およびその信号処理方法の好適な実施の形態の詳細動作を説明する。図２は、本発明のボタン電話装置１０の動作説明図である。図３は、主装置２０およびボタン電話機３０の表示データ記憶部２３、３３に記憶されているコマンドコードと表示部３１に表示される表示内容の具体例を示す図である。即ち、コマンドコードＣ００１、Ｃ００２，・・・および表示内容、例えば「表示データＡ」、外線番号００１、・・・の如く、コマンドコードおよび表示内容が対応付けられて記憶されている。
【００２２】
ボタン電話装置１０の主装置２０から表示データを送信して、「表示データＡ」がボタン電話機３０の表示データ記憶部３３に記憶されるまでのステップは、次のとおりである。先ず、主装置２０の表示データ送受信部２１から信号ケーブル４０を介してボタン電話機３０の表示データ送受信部３２へ表示データが送信される（ステップＳ１）。これと同時に、ボタン電話機３０の制御部／タイマ部３４のタイマが起動し、一定時間のタイムアップにて図３に示す表示データに対応したコマンドコードＣ００１等のコマンドコードが順次設定される（ステップＳ２）。そして、この設定された表示データ／コマンドコードは、コマンド記憶部３３１を含んでいる表示データ記憶部３３に転送されて記憶される（ステップＳ３）。尚、タイマのタイムアップ前に新しい表示データが送付されてきた場合には、タイムアップは停止され、再度タイマ設定が行われる。
【００２３】
上述したコマンドコード、例えばＣ００１等が設定されると、ボタン電話機３０の表示データ送受信部３２から信号ケーブル４０を介して主装置２０の表示データ送受信部２１へコマンドコードが送られる（ステップＳ４）。主装置２０は、このコマンドコードを受信すると、表示データ記憶部２３のコマンド記憶部２３１に受信したコマンドコードを記憶する（ステップＳ５）。この記憶される内容は、図３に示す具体例と同様である。
【００２４】
次回以降に主装置２０がボタン電話機３０へ表示データを送信する場合には、送信前に主装置２０内の制御部／判断部２２において新たに送信したい表示データと表示データ記憶部２３に記憶された表示データとを比較し、同じ表示データの有無を判断する（ステップＳ６）。同じ表示データである場合には、その表示データに代わって、コマンド記憶部２３１に記憶された対応するコマンドコードを主装置２０の表示データ送受信部２１から信号ケーブル４０を介してボタン電話機３０へ送出する（ステップＳ７）。即ち、例えば複数行に亘る長い「表示データＡ」に代えてコマンドＣ００１を送出する。
【００２５】
そこで、ボタン電話機３０側では、主装置２０から送出される表示信号を、制御部／タイマ部３４が有するコマンド判断機能により、主装置２０から受信した表示信号が一般表示データか又はコマンドコード化を判断する（ステップＳ８）。一般表示データの場合には、表示部３１へ送って表示部３１に表示する（ステップＳ９）。他方、受信した表示信号がコマンドコードであると判断された場合には、コマンドコードを表示データ記憶部３３へ送る（ステップＳ１０）。表示データ記憶部３３は、このコマンドコード（例えば、Ｃ００１）に対応する表示データ（例えば、「表示データＡ」）を読み出す（ステップＳ１１）。そして、この読み出された表示データ（例えば、「表示データＡ」）を表示部３１へ送り、それを表示する（ステップＳ１２）。
【００２６】
上述の動作は、ボタン電話装置１０の主装置２０に接続された複数のボタン電話機３０の全てについて行われる。また、上述の表示信号処理動作は、以後に主装置２０から各ボタン電話機３０へ送信される全ての表示データについて同様に反復して行われる。
【００２７】
以上、本発明によるボタン電話装置、その主装置、ボタン電話機および表示信号処理方法の好適な実施の形態について詳述した。しかし、斯かる実施の形態は本発明の単なる例示に過ぎず、何ら本発明を限定するものではないことに留意されたい。本発明の要旨や精神を逸脱することなく、特定用途に応じて種々の変形変更が可能であること、当業者には容易に理解できよう。
【図面の簡単な説明】
【００２８】
【図１】本発明によるボタン電話装置の好適な実施の形態の概略構成を示す機能ブロック図である。
【図２】図１に示すボタン電話装置の動作である本発明の表示信号処理方法を説明するシーケンス図である。
【図３】図１中の表示データ記憶部に記憶されるコマンドコードおよび表示内容の具体例を示す図である。
【符号の説明】
【００２９】
１０  ボタン電話装置
２０  主装置
２１、３２  表示データ送受信部
２２  制御部／判断部
２３、３３  表示データ記憶部
２３１、３３１  コマンド記憶部
３１  表示部
３４  制御部／タイマ部
【図１】
2008193625.tif 000003
【図２】
2008193625.tif 000004
【図３】
2008193625.tif 000005